(57)【要約】【課題】正しいうるう秒情報を取得できたかを高精度に判定できる電子時計および電子時計の受信制御方法を提供する。【解決手段】電子時計１は、第１のうるう秒情報を含む第１の衛星信号、および、第２のうるう秒情報を含む第２の衛星信号を、少なくとも受信する受信装置３０と、現在のうるう秒に応じた時刻を計時する計時装置５０と、第１の衛星信号および第２の衛星信号の受信タイミングに基づいて、第１のうるう秒情報および第２のうるう秒情報の正確性の判定条件を設定する判定条件設定部４７０と、第１のうるう秒情報および第２のうるう秒情報が、前記設定した判定条件に合致する場合に、第１のうるう秒情報または第２のうるう秒情報に基づいて前記現在のうるう秒を修正するうるう秒修正部４８０とを有する。【選択図】図３
2014196952.tif 000002
【特許請求の範囲】
【請求項１】
第１のうるう秒情報を含む第１の衛星信号、および、第２のうるう秒情報を含む第２の衛星信号を、少なくとも受信する受信部と、
現在のうるう秒に応じた時刻を計時する計時部と、
前記第１の衛星信号および第２の衛星信号の受信タイミングに基づいて、前記第１のうるう秒情報および第２のうるう秒情報の正確性の判定条件を設定する判定条件設定部と、
前記第１のうるう秒情報および第２のうるう秒情報が、前記設定した判定条件に合致する場合に、前記第１のうるう秒情報または第２のうるう秒情報に基づいて前記現在のうるう秒を修正するうるう秒修正部と、
を有することを特徴とする電子時計。
【請求項２】
請求項１に記載の電子時計において、
前記第１の衛星信号に含まれる第１のうるう秒情報を、うるう秒情報候補として記憶するうるう秒情報候補記憶部を有し、
前記受信部は、前記第１の衛星信号を受信した後に前記第２の衛星信号を受信し、
前記判定条件設定部は、前記第２の衛星信号を健康衛星状態が正常な位置情報衛星から受信し、かつ、前記第２のうるう秒情報と前記うるう秒情報候補とが一致することを前記判定条件として設定する
ことを特徴とする電子時計。
【請求項３】
請求項１に記載の電子時計において、
前記受信部は、一回の受信処理で前記第１の衛星信号および前記第２の衛星信号を受信し、
前記判定条件設定部は、前記第１のうるう秒情報と、前記第２のうるう秒情報とが一致することを前記判定条件として設定する
ことを特徴とする電子時計。
【請求項４】
請求項１に記載の電子時計において、
前記第１の衛星信号に含まれる第１のうるう秒情報を、うるう秒情報候補として記憶するうるう秒情報候補記憶部を有し、
前記受信部は、第１の衛星信号および第２の衛星信号を受信し、
前記判定条件設定部は、
前記第１の衛星信号を受信して前記第１のうるう秒情報を前記うるう秒情報候補として前記うるう秒情報候補記憶部に記憶した後に、前記第２の衛星信号を１つの位置情報衛星から受信した場合は、前記第２の衛星信号を健康衛星状態が正常な位置情報衛星から受信し、かつ、前記第２のうるう秒情報と前記うるう秒情報候補とが一致することを前記判定条件として設定し、
一回の受信処理で前記第１の衛星信号および前記第２の衛星信号を受信した場合は、前記第１のうるう秒情報と、前記第２のうるう秒情報とが一致することを前記判定条件として設定する
ことを特徴とする電子時計。
【請求項５】
請求項２または請求項４に記載の電子時計において、
前記第２のうるう秒情報と前記うるう秒情報候補とが一致しなかった場合に、前記うるう秒情報候補を、前記第２のうるう秒情報で更新するうるう秒情報候補更新部を
有することを特徴とする電子時計。
【請求項６】
請求項１から請求項５のいずれかに記載の電子時計において、
前記判定条件設定部は、前記うるう秒情報が含まれる衛星信号が、健康衛星状態が正常な位置情報衛星から受信したものであることを前記判定条件に追加して設定する
ことを特徴とする電子時計。
【請求項７】
請求項１から請求項６のいずれかに記載の電子時計において、
前記受信部は、前記うるう秒情報および更新後のうるう秒情報を含む衛星信号を受信し、
前記判定条件設定部は、前記衛星信号に含まれる前記うるう秒情報と、前記更新後のうるう秒情報との差が−１秒以上、＋１秒以内であることを前記判定条件に追加して設定する
ことを特徴とする電子時計。
【請求項８】
請求項１から請求項７のいずれかに記載の電子時計において、
前記受信部は、前記うるう秒情報、更新後のうるう秒情報およびうるう秒の挿入予定日を含む衛星信号を受信し、
前記判定条件設定部は、前記衛星信号に含まれる前記うるう秒情報と、前記更新後のうるう秒情報とが異なる値である場合は、前記うるう秒の挿入予定日が、前記衛星信号を受信した日よりも後であることを前記判定条件に追加して設定する
ことを特徴とする電子時計。
【請求項９】
現在のうるう秒に応じた時刻を計時する計時部と、
第１の受信処理で第１の衛星信号を受信し、かつ、前記第１とは異なる第２の受信処理で前記第１の衛星信号より後に第２の衛星信号を受信する受信部と、
前記第１の衛星信号に含まれる第１のうるう秒情報を、うるう秒情報候補として記憶するうるう秒情報候補記憶部と、
前記第２の衛星信号に含まれる第２のうるう秒情報と、前記うるう秒情報候補とが一致する場合に、前記第２のうるう秒情報または前記うるう秒情報候補の少なくともいずれかに基づいて、前記現在のうるう秒を修正するうるう秒修正部と、
を有することを特徴とする電子時計。
【請求項１０】
衛星信号を受信する受信部と、
現在のうるう秒に応じた時刻を計時する計時部とを有する電子時計の受信制御方法であって、
第１のうるう秒情報を含む第１の衛星信号、および、第２のうるう秒情報を含む第２の衛星信号を受信するステップと、
前記第１の衛星信号および第２の衛星信号の受信タイミングに基づいて、前記第１のうるう秒情報および第２のうるう秒情報の正確性の判定条件を設定するステップと、
前記第１のうるう秒情報および第２のうるう秒情報が、前記設定した判定条件に合致する場合に、前記第１のうるう秒情報または第２のうるう秒情報に基づいて前記現在のうるう秒を修正するステップと、
を有することを特徴とする電子時計の受信制御方法。
【請求項１１】
衛星信号を受信する受信部と、
現在のうるう秒に応じた時刻を計時する計時部と、
うるう秒情報候補記憶部とを有する電子時計の受信制御方法であって、
第１のうるう秒情報を含む第１の衛星信号を受信するステップと、
前記第１のうるう秒情報を、うるう秒情報候補として前記うるう秒情報候補記憶部に記憶するステップと、
第２のうるう秒情報を含む第２の衛星信号を受信するステップと、
前記第２の衛星信号に含まれる第２のうるう秒情報と、前記うるう秒情報候補とが一致するか否かを判定するステップと、
前記第２のうるう秒情報と、前記うるう秒情報候補とが一致する場合に、前記第２のうるう秒情報または前記うるう秒情報候補との少なくともいずれかに基づいて、前記現在のうるう秒を修正するステップと、
を有することを特徴とする電子時計の受信制御方法。
【発明の詳細な説明】
【技術分野】
【０００１】
本発明は、位置情報衛星から送信される衛星信号を受信して表示時刻を修正する電子時計および電子時計の受信制御方法に関する。
【背景技術】
【０００２】
ＧＰＳ（Global Positioning System）衛星から送信される衛星信号を受信して時刻修正を行う場合、現在のうるう秒の情報を取得して時刻修正に反映させる必要がある。特許文献１には、うるう秒情報の受信時刻を、簡単に小負荷で取得可能な電子時計が開示されている。
【０００３】
ところで、特許文献１では、ＧＰＳ時刻情報（Ｚカウント）が信頼できるか否かを、衛星信号に含まれるパリティデータを用いてチェックしている。
このため、うるう秒情報が信頼できるか否かも、同様にパリティチェックで判定することが考えられる。
【先行技術文献】
【特許文献】
【０００４】
【特許文献１】特開２０１２−１６７９３１号公報
【発明の概要】
【発明が解決しようとする課題】
【０００５】
しかしながら、本発明者が実験したところ、図１６に示すように、うるう秒情報のパリティチェックに合格しながら、実際の値が誤っていた場合があった。特に、信号強度が低い場合（−１４４〜−１４５ｄＢｍ）には、５〜１０％程度の割合で、誤りが見つかった。
このため、パリティチェックのみでは、正しいうるう秒情報を取得できたかを高精度に判定できないという問題があった。
【０００６】
本発明の目的は、正しいうるう秒情報を取得できたかを高精度に判定できる電子時計および電子時計の受信制御方法を提供することにある。
【課題を解決するための手段】
【０００７】
本発明の電子時計は、第１のうるう秒情報を含む第１の衛星信号、および、第２のうるう秒情報を含む第２の衛星信号を、少なくとも受信する受信部と、現在のうるう秒に応じた時刻を計時する計時部と、前記第１の衛星信号および第２の衛星信号の受信タイミングに基づいて、前記第１のうるう秒情報および第２のうるう秒情報の正確性の判定条件を設定する判定条件設定部と、前記第１のうるう秒情報および第２のうるう秒情報が、前記設定した判定条件に合致する場合に、前記第１のうるう秒情報または第２のうるう秒情報に基づいて前記現在のうるう秒を修正するうるう秒修正部と、を有することを特徴とする。
【０００８】
本発明の電子時計は、第１のうるう秒情報を含む第１の衛星信号と、第２のうるう秒情報を含む第２の衛星信号の少なくとも２つの衛星信号を受信部で受信する。なお、第１および第２のうるう秒情報とは、衛星信号に含まれる現在のうるう秒を示す情報である。また、前記第１および第２の衛星信号は、複数の衛星からほぼ同時に受信しても良いし、１つあるいは複数の衛星から異なる時刻に受信しても良い。
そして、受信した各衛星信号に含まれる第１および第２のうるう秒情報が判定条件設定部で設定される判定条件に該当するか否かで、受信したうるう秒情報の正確性が高いかを判定できる。特に、１つのうるう秒情報だけでなく、２つのうるう秒情報を用いて判定しているので、うるう秒情報の正確性を高精度に判定できる。従って、うるう秒修正部は、判定条件に合致する場合に、正しいうるう秒情報を取得できたことを高精度に判定でき、現在のうるう秒情報を、取得した第１または第２のうるう秒情報で正しく修正できる。なお、正しいと判定できた第１および第２のうるう秒情報は通常同じ値であるため、現在のうるう秒情報は、第１および第２のうるう秒情報のいずれでも更新できる。
さらに、判定条件設定部は、第１および第２の衛星信号の受信タイミングに基づいて判定条件を設定する。このため、受信環境が良好でほぼ同時に複数の衛星信号を受信できる場合には、第１および第２のうるう秒情報をほぼ同時に取得した場合の判定条件を設定してうるう秒の正確性を判定できる。また、受信環境があまり良くなくて、１つの衛星信号しか受信できない場合には、第１および第２のうるう秒情報を異なる時刻に取得した場合の判定条件を設定してうるう秒の正確性を判定できる。このように、第１および第２の衛星信号の受信タイミングで判定条件を選択しているので、受信環境に応じて適切な判定条件で判定できるため、うるう秒の正確性を高精度に判定できる。
【０００９】
ここで、前記電子時計は、前記第１の衛星信号に含まれる第１のうるう秒情報を、うるう秒情報候補として記憶するうるう秒情報候補記憶部を有し、前記受信部は、前記第１の衛星信号を受信した後に前記第２の衛星信号を受信し、前記判定条件設定部は、前記第２の衛星信号を健康衛星状態が正常な位置情報衛星から受信し、かつ、前記第２のうるう秒情報と前記うるう秒情報候補とが一致することを前記判定条件として設定することが好ましい。
【００１０】
本発明によれば、第１の衛星信号に含まれる第１のうるう秒情報を、うるう秒情報候補として記憶している。そして、以前に受信したうるう秒情報候補（第１のうるう秒情報）と、第２のうるう秒情報とが一致するかを判定している。このため、受信環境が悪いために、第２の衛星信号を受信した際に１つの衛星からしか受信できなくても、異なる時間に受信した２つのうるう秒情報を用いて判定できるので、うるう秒情報の正確性を高精度に判定できる。このため、パリティチェックでうるう秒情報の正確性を判定する場合に比べて、受信したうるう秒情報の正確性を精度良く判定できる。
【００１１】
また、前記受信部は、一回の受信処理で前記第１の衛星信号および前記第２の衛星信号を受信し、前記判定条件設定部は、前記第１のうるう秒情報と、前記第２のうるう秒情報とが一致することを前記判定条件として設定することが好ましい。
【００１２】
本発明によれば、一回の受信処理で複数の衛星から衛星信号を受信できた場合に、第１および第２のうるう秒情報が一致するかを判定しているので、うるう秒の正確性を高精度に判定できる。このため、パリティチェックでうるう秒情報の正確性を判定する場合に比べて、受信したうるう秒情報の正確性を精度良く判定できる。その上、一回の受信処理で判定できるため、異なる時間にうるう秒情報を受信する場合に比べて、受信時間を短くできて消費電力を低減できる。
【００１３】
さらに、電子時計は、前記第１の衛星信号に含まれる第１のうるう秒情報を、うるう秒情報候補として記憶するうるう秒情報候補記憶部を有し、前記受信部は、第１の衛星信号および第２の衛星信号を受信し、前記判定条件設定部は、前記第１の衛星信号を受信して前記第１のうるう秒情報を前記うるう秒情報候補として前記うるう秒情報候補記憶部に記憶した後に、前記第２の衛星信号を１つの位置情報衛星から受信した場合は、前記第２の衛星信号を健康衛星状態が正常な位置情報衛星から受信し、かつ、前記第２のうるう秒情報と前記うるう秒情報候補とが一致することを前記判定条件として設定し、一回の受信処理で前記第１の衛星信号および前記第２の衛星信号を受信した場合は、前記第１のうるう秒情報と、前記第２のうるう秒情報とが一致することを前記判定条件として設定することが好ましい。
【００１４】
本発明によれば、第１の衛星信号と第２の衛星信号とを異なる時刻（異なる受信処理）で受信した場合は、先に受信した第１のうるう秒情報をうるう秒情報候補として記憶部に記憶し、後に受信した第２のうるう秒情報を、前記うるう秒情報候補（第１のうるう秒情報）と一致するかを判定している。このため、受信環境が悪いために、第２の衛星信号を受信した際に１つの衛星からしか受信できなくても、異なる時間に受信した２つのうるう秒情報を用いて判定できるので、うるう秒の正確性を高精度に判定できる。
一方、一回の受信処理で複数の衛星から衛星信号を受信できた場合に、第１および第２のうるう秒情報が一致するかを判定しているので、うるう秒の正確性を高精度に判定できる。
このように、第２の衛星信号を受信した際に、複数の衛星信号を受信したか、あるいは１つの衛星信号を受信したかで、判定条件を選択しているので、正確なうるう秒情報を受信できたかを精度良く判定できる。
このため、パリティチェックでうるう秒情報の正確性を判定する場合に比べて、受信したうるう秒情報の正確性を精度良く判定できる。
【００１５】
また、電子時計は、前記第２のうるう秒情報と前記うるう秒情報候補とが一致しなかった場合に、前記うるう秒情報候補を、前記第２のうるう秒情報で更新するうるう秒情報候補更新部を有することが好ましい。
【００１６】
前記うるう秒情報候補と第２のうるう秒情報とが不一致の場合は、これらのうちのいずれか一方あるいは両方が、ノイズなどの影響で誤ったデータであることが推定できる。このため、うるう秒情報候補を更新しないと、うるう秒情報候補が誤ったデータである場合に、第２のうるう秒情報の受信を繰り返しても不一致状態が続く可能性がある。
これに対し、本発明によれば、うるう秒情報候補を今回受信した第２のうるう秒情報で更新するので、うるう秒情報候補を最新のうるう秒情報で更新できる。このため、次にうるう秒情報を受信した際に、うるう秒情報候補と一致する可能性を高めることができ、うるう秒情報の正確性を精度良く判定できる。
【００１７】
さらに、前記判定条件設定部は、前記うるう秒情報が含まれる衛星信号が、健康衛星状態が正常な位置情報衛星から受信したものであることを前記判定条件に追加して設定することが好ましい。
【００１８】
本発明によれば、前記各判定条件に加えて、健康衛星状態が正常な位置情報衛星から受信していることも判定条件に追加している。ここで、前記各発明では、２つのうるう秒情報が一致するかを判定しているので、仮に、健康衛星状態が異常な衛星からうるう秒情報を受信した場合でも、通常は、うるう秒情報が不一致となるため、誤ったうるう秒情報で現在のうるう秒を更新する可能性は低い。ただし、健康衛星状態が異常な衛星から複数のうるう秒情報を受信し、これらが一致する可能性も僅かながら存在する。
これに対し、本発明によれば、健康衛星状態が異常な衛星から受信した衛星信号（うるう秒情報）を用いることがないため、うるう秒情報の正確性をより一層精度良く判定できる。
【００１９】
さらに、前記受信部は、前記うるう秒情報および更新後のうるう秒情報を含む衛星信号を受信し、前記判定条件設定部は、前記衛星信号に含まれる前記うるう秒情報と、前記更新後のうるう秒情報との差が−１秒以上、＋１秒以内であることを前記判定条件に追加して設定することが好ましい。
【００２０】
うるう秒情報の更新が予定されると、衛星信号に含まれる更新後のうるう秒情報に新たなデータがセットされる。
このため、衛星信号に含まれる現在のうるう秒情報と、更新後のうるう秒情報とは異なる値になる。更新後のうるう秒は、現在のうるう秒に対して、−１秒または＋１秒の変更であり、±２秒以上、変更されることがない。このため、受信した第１および第２のうるう秒情報（現在のうるう秒情報）が互いに一致していても、受信した更新後のうるう秒情報との差が−１秒以上、＋１秒以内の範囲外である場合は、受信したうるう秒情報が誤ったデータである可能性がある。このため、本発明の条件を追加設定することで、うるう秒情報の正確性をより一層精度良く判定できる。
また、うるう秒情報の更新が予定されていない場合は、衛星信号に含まれる現在のうるう秒情報と、更新後のうるう秒情報とは同じ値であるため、その差も０秒つまり−１秒以上、＋１秒以内の範囲内となり、本設定条件に該当する。
なお、本発明の設定条件は、第１の衛星信号を受信した際、および、第２の衛星信号を受信した際にそれぞれ個別に行うことが、うるう秒情報の正確性の判定精度を向上できる点で好ましい。
【００２１】
また、前記受信部は、前記うるう秒情報、更新後のうるう秒情報およびうるう秒の挿入予定日を含む衛星信号を受信し、前記判定条件設定部は、前記衛星信号に含まれる前記うるう秒情報と、前記更新後のうるう秒情報とが異なる値である場合は、前記うるう秒の挿入予定日が、前記衛星信号を受信した日よりも後であることを前記判定条件に追加して設定することが好ましい。
【００２２】
うるう秒情報の更新が予定されると、衛星信号に含まれる更新後のうるう秒情報に新たなデータがセットされる。このため、衛星信号に含まれる現在のうるう秒情報と、更新後のうるう秒情報とは異なる値になる。この場合、うるう秒の更新予定日は、受信日よりも後の日付になる。
従って、これらの条件に該当しない場合は、受信したうるう秒情報、更新後のうるう秒情報、更新予定日のいずれかが誤ったデータである可能性がある。このため、本発明の条件を追加設定することで、うるう秒情報の正確性をより一層精度良く判定できる。
なお、本発明の設定条件は、第１の衛星信号を受信した際、および、第２の衛星信号を受信した際にそれぞれ個別に行うことが、うるう秒情報の正確性の判定精度を向上できる点で好ましい。
【００２３】
本発明の電子時計は、現在のうるう秒に応じた時刻を計時する計時部と、第１の受信処理で第１の衛星信号を受信し、かつ、前記第１とは異なる第２の受信処理で前記第１の衛星信号より後に第２の衛星信号を受信する受信部と、前記第１の衛星信号に含まれる第１のうるう秒情報を、うるう秒情報候補として記憶するうるう秒情報候補記憶部と、前記第２の衛星信号に含まれる第２のうるう秒情報と、前記うるう秒情報候補とが一致する場合に、前記第２のうるう秒情報または前記うるう秒情報候補の少なくともいずれかに基づいて、前記現在のうるう秒を修正するうるう秒修正部と、を有することを特徴とする。
【００２４】
本発明によれば、第１の衛星信号に含まれる第１のうるう秒情報を、うるう秒情報候補として記憶している。そして、以前に受信したうるう秒情報候補（第１のうるう秒情報）と、第２のうるう秒情報とが一致するかを判定している。このため、受信環境が悪いために、第２の衛星信号を受信した際に１つの衛星からしか受信できなくても、異なる時間に受信した２つのうるう秒情報を用いて判定できるので、うるう秒情報の正確性を高精度に判定できる。このため、パリティチェックでうるう秒情報の正確性を判定する場合に比べて、受信したうるう秒情報の正確性を精度良く判定できる。
【００２５】
本発明は、衛星信号を受信する受信部と、現在のうるう秒に応じた時刻を計時する計時部とを有する電子時計の受信制御方法であって、第１のうるう秒情報を含む第１の衛星信号、および、第２のうるう秒情報を含む第２の衛星信号を受信するステップと、前記第１の衛星信号および第２の衛星信号の受信タイミングに基づいて、前記第１のうるう秒情報および第２のうるう秒情報の正確性の判定条件を設定するステップと、前記第１のうるう秒情報および第２のうるう秒情報が、前記設定した判定条件に合致する場合に、前記第１のうるう秒情報または第２のうるう秒情報に基づいて前記現在のうるう秒を修正するステップと、を有することを特徴とする。
【００２６】
本発明においても、前記電子時計と同じ作用効果を奏することができる。すなわち、第１および第２の衛星信号の受信タイミングに基づいて判定条件を設定しているので、受信環境が良好で同時に複数の衛星信号を受信できる場合には、第１および第２のうるう秒情報を同時に取得した場合の判定条件を設定してうるう秒の正確性を判定できる。また、受信環境があまり良くなくて、同時に１つの衛星信号しか受信できない場合には、第１および第２のうるう秒情報を異なる時刻に取得した場合の判定条件を設定してうるう秒の正確性を判定できる。このように、第１および第２の衛星信号の受信タイミングで判定条件を選択しているので、受信環境に応じて適切な判定条件で判定できるため、うるう秒の正確性を高精度に判定できる。
【００２７】
本発明は、衛星信号を受信する受信部と、現在のうるう秒に応じた時刻を計時する計時部と、うるう秒情報候補記憶部とを有する電子時計の受信制御方法であって、第１のうるう秒情報を含む第１の衛星信号を受信するステップと、前記第１のうるう秒情報を、うるう秒情報候補として前記うるう秒情報候補記憶部に記憶するステップと、第２のうるう秒情報を含む第２の衛星信号を受信するステップと、前記第２の衛星信号に含まれる第２のうるう秒情報と、前記うるう秒情報候補とが一致するか否かを判定するステップと、前記第２のうるう秒情報と、前記うるう秒情報候補とが一致する場合に、前記第２のうるう秒情報または前記うるう秒情報候補の少なくともいずれかに基づいて、前記現在のうるう秒を修正するステップと、を有することを特徴とする。
【００２８】
本発明においても、前記電子時計と同じ作用効果を奏することができる。すなわち、以前に受信したうるう秒情報候補（第１のうるう秒情報）と、第２のうるう秒情報とが一致するかを判定しているので、受信環境が悪いために、第２の衛星信号を受信した際に１つの衛星からしか受信できなくても、うるう秒の正確性を高精度に判定できる。このため、パリティチェックでうるう秒情報の正確性を判定する場合に比べて、受信したうるう秒情報の正確性を精度良く判定できる。
【図面の簡単な説明】
【００２９】
【図１】本発明の電子時計を示す正面図である。
【図２】電子時計の概略断面図である。
【図３】電子時計の構成を示すブロック図である。
【図４】航法メッセージの構成を説明する図である。
【図５】サブフレーム１の構成を説明する図である。
【図６】記憶装置の構成を示すブロック図である。
【図７】第１実施形態での受信処理を示すフローチャートである。
【図８】第１実施形態の第１受信処理を示すフローチャートである。
【図９】第１実施形態の第２受信処理を示すフローチャートである。
【図１０】第２実施形態の電子時計の構成を示すブロック図である。
【図１１】第２実施形態の記憶装置の構成を示すブロック図である。
【図１２】第２実施形態の第１受信処理を示すフローチャートである。
【図１３】第３実施形態の第１受信処理を示すフローチャートである。
【図１４】第４実施形態の第１受信処理を示すフローチャートである。
【図１５】第５実施形態の第１受信処理を示すフローチャートである。
【図１６】本発明の課題を説明するためのグラフである。
【発明を実施するための形態】
【００３０】
以下、本発明の具体的な実施形態を図面に基づいて説明する。
［第１実施形態］
図１は、本発明の第１実施形態に係る電子時計１の正面図であり、図２は電子時計１の概略断面図である。
図１に示すように、電子時計１は、地球の上空を所定の軌道で周回している複数のＧＰＳ衛星１００のうち、少なくとも１つのＧＰＳ衛星１００からの衛星信号を受信して時刻情報を取得し、少なくとも３つのＧＰＳ衛星１００からの衛星信号を受信して位置情報を算出するように構成されている。なお、ＧＰＳ衛星１００は、位置情報衛星の一例であり、地球の上空に複数存在している。現在は約３０個のＧＰＳ衛星１００が周回している。
【００３１】
［電子時計］
電子時計１は、使用者の手首に装着される腕時計であり、文字板１１および指針１２（時刻表示部）を備え、時刻を計時して表示する。
文字板１１の大部分は、光および１．５ＧＨｚ帯のマイクロ波が透過し易い非金属の材料（例えば、プラスチックまたはガラス）で形成されている。
指針１２は、文字板１１の表面側に設けられている。また、指針１２は、回転軸１３を中心に回転移動する秒針１２１、分針１２２および時針１２３を含み、歯車を介してステップモーターで駆動される。
【００３２】
［操作部の操作］
電子時計１では、リューズ１４やボタン１５、１６を有する入力装置（操作部）７０の手動操作に応じた処理が実行される。具体的には、リューズ１４が操作されると、その操作に応じて表示時刻を修正する手動修正処理が実行される。また、ボタン１５が長時間（例えば３秒以上の時間）にわたって押されると、衛星信号を受信するための手動受信処理（強制受信処理）が実行される。
【００３３】
また、ボタン１６が押されると、受信モード（測時モード、測位モード、うるう秒受信モード）を切り替える切替処理が実行される。
測時モードとは、１つ以上のＧＰＳ衛星１００を捕捉して衛星信号を受信し、受信した衛星信号から時刻情報を取得するモードである。
測位モードとは、３つ以上のＧＰＳ衛星１００を捕捉して衛星信号を受信し、受信した衛星信号に基づいて測位演算することで位置情報を取得するモードである。なお、測位モードでは、通常、衛星信号から時刻情報も同時に取得できる。ただし、測位モードにおいて、衛星信号から時刻情報を取得しなくてもよい。
【００３４】
うるう秒受信モードとは、１つ以上のＧＰＳ衛星１００を捕捉して衛星信号を受信し、所定間隔（ＧＰＳ衛星信号の場合、１２．５分間隔）で送信されるうるう秒情報を取得するモードである。なお、うるう秒受信モードでは、衛星信号から時刻情報も同時に取得する。
【００３５】
ボタン１６の操作による受信モードの設定は、後述する記憶装置６０の受信モード記憶部６６０に記憶される。そして、測時モードに設定された場合には、秒針１２１が「Ｔｉｍｅ」の位置（５秒位置）に移動し、測位モードに設定された場合には、秒針１２１が「Ｆｉｘ」の位置（１０秒位置）に移動する。うるう秒受信モードに設定された場合には、秒針１２１が「Ｌｅａｐ（leap second）」の位置（５５秒位置）に移動する。このため、利用者は設定された受信モードを容易に確認できる。
なお、受信モードは、秒針１２１で指示するものに限らず、モードを指示する指針（モード針）を別に設けて表示してもよい。
【００３６】
なお、後述する定時受信処理時には、ボタン１６で設定されたモードに関係なく、受信モードを測時モードまたは測位モードに固定してもよいし、定時受信処理時もボタン１６で設定された受信モードで制御してもよい。本実施形態では、後述するように、定時受信処理時は測時モードに固定している。
【００３７】
また、ボタン１５が短時間（例えば３秒未満）押されると、前回の受信処理の結果を表示する結果表示処理が行われる。すなわち、測位モードで受信成功の場合には、秒針１２１が「Ｆｉｘ」（１０秒位置）の位置に移動し、測時モードで受信成功の場合には、秒針１２１が「Ｔｉｍｅ」（５秒位置）の位置に移動し、うるう秒受信モードで受信成功の場合には、秒針１２１が「Ｌｅａｐ」（５５秒位置）の位置に移動する。また、受信失敗の場合には秒針１２１が「Ｎ」の位置（２０秒位置）に移動する。
なお、これらの秒針１２１による指示は受信中も行われる。測位モードで受信中は秒針１２１が「Ｆｉｘ」の位置（１０秒位置）に移動し、測時モードで受信中は秒針１２１が「Ｔｉｍｅ」の位置（５秒位置）に移動し、うるう秒受信モードで受信成功の場合には、秒針１２１が「Ｌｅａｐ」（５５秒位置）の位置に移動する。また、ＧＰＳ衛星が捕捉できない場合は秒針１２１が「Ｎ」の位置（２０秒位置）に移動する。
【００３８】
［電子時計の構造］
図２に示すように、電子時計１は、ステンレス鋼（ＳＵＳ）やチタンなどの金属で構成された外装ケース１７を備えている。外装ケース１７は、略円筒状に形成されている。外装ケース１７の表面側の開口には、ベゼル１８を介して開口を覆う表面ガラス１９が取り付けられている。ベゼル１８は、衛星信号の受信性能を向上させるためにセラミックスなどの非金属材料で構成される。外装ケース１７の裏面側の開口には、裏蓋２０が取り付けられている。外装ケース１７の内部には、文字板１１、ムーブメント２１、ソーラーパネル２２、ＧＰＳアンテナ２３、二次電池２４などが配置されている。
【００３９】
ムーブメント２１は、指針１２を駆動する駆動機構２１０を備えている。駆動機構２１０は、ステップモーター、輪列２１１、前記ステップモーターを駆動する駆動回路などを備えて構成されている。ステップモーターは、モーターコイル２１２、ステーター、ローターなどで構成されており、輪列２１１や回転軸１３を介して指針１２を駆動する。
【００４０】
ムーブメント２１の裏蓋２０側には、回路基板２５が配置されている。
回路基板２５には、ＧＰＳアンテナ２３で受信した衛星信号を処理する受信装置３０と、前記受信装置３０やステップモーターの駆動制御などの各種の制御を行う制御装置４０と、ソーラーパネル２２で発電した電力を二次電池２４に充電する充電回路８０などが取り付けられている。受信装置３０や制御装置４０は、二次電池２４から供給される電力で駆動される。
【００４１】
［ソーラーパネル］
ソーラーパネル２２は、光エネルギーを電気エネルギーに変換する光発電を行う光発電素子である。ソーラーパネル２２は、図示を略すが７〜８個のソーラーセルを備え、これらのソーラーセルを直列に接続して出力している。
図２に示すように、ソーラーパネル２２は、ソーラーパネル支持基板２２０で支持されている。ソーラーパネル支持基板２２０は、例えば、ＢＳ（真鍮）、ＳＵＳ（ステンレス鋼）、チタン合金などの金属材料により形成される厚さ寸法が例えば０．１ｍｍの導電性基板である。このことにより、ソーラーパネル支持基板２２０は、近接して配置されるＧＰＳアンテナ２３と同じ電流分布となってＧＰＳアンテナ２３の一部として機能する。
ソーラーパネル支持基板２２０は、外装ケース１７に接触しないように組み込まれる。すなわち、ソーラーパネル支持基板２２０は、外周縁が外装ケース１７の内周面と離間して接触することなく配置される。
【００４２】
文字板１１およびソーラーパネル２２は、各々の外周径がダイヤルリング１４０の内周径に合わせて形成され、各々の外周はダイヤルリング１４０で隠されているので、ソーラーパネル支持基板２２０が外部から視認されることはない。また、ソーラーパネル支持基板２２０の外形寸法は、ソーラーパネル２２や文字板１１よりも大きな寸法とされ、前記ＧＰＳアンテナ２３の下面位置まで拡大されている。
【００４３】
［ＧＰＳアンテナ］
ＧＰＳアンテナ２３は、矩形断面形状を有するリング状の誘電体基材２３１を備え、その表面にアンテナ電極２３２が形成されたリングアンテナである。
誘電体基材２３１は、電波の波長を短縮させるものであり、例えばアルミナ（εｒ＝８．５）を主成分としたセラミックスや、マイカを成分としたセラミックスである、いわゆるマイカレックス（εｒ＝６．５〜９．５）、ガラス（εｒ＝５．４〜９．９）、ダイヤモンド（εｒ＝５．６８）などで構成できる。
【００４４】
アンテナ電極２３２は、誘電体基材２３１の表面に、銅や銀などの導電性の金属素子を印刷したり、銀や銅などの導電性の金属板を誘電体基材２３１の表面に貼り付けたりすることで、誘電体基材２３１に線状に一体的に形成される。なお、アンテナ電極２３２は、誘電体基材２３１の表面に無電解めっきでパターン形成することで形成してもよい。
【００４５】
アンテナ電極２３２には、接続ピン３１が接触されている。この接続ピン３１は、略円筒状の接続基部３２に挿入されている。接続基部３２は、回路基板２５上のプリント配線に接続されて立設されている。
接続ピン３１および接続基部３２は、プリント配線を介して受信装置３０に電気的に接続されている。接続基部３２は、筒内部に例えばコイルばねなどの付勢部材が設けられており、接続基部３２に挿入された接続ピン３１をアンテナ電極２３２側に付勢している。これにより、接続ピン３１は、アンテナ電極２３２の給電点に押圧され、例えば電子時計１に衝撃が加わった際でも、接続ピン３１とアンテナ電極２３２との接続状態が維持される。
【００４６】
本実施形態において、導電性部材製の裏蓋２０はＧＰＳアンテナ２３のグランド板（反射板）を兼ねている。裏蓋２０は、ムーブメント２１に設けられた接地端子２６に導通している。接地端子２６は、ムーブメント２１の受信装置３０のグランド電位に接続している。このため、裏蓋２０は、接地端子２６を介して受信装置３０のグランド電位に電気的に接続しており、表面ガラス１９側から入射する電波をＧＰＳアンテナ２３に向かって反射させるグランド板（反射板）として機能する。なお、裏蓋２０に接触している導電性部材の外装ケース１７もグランド電位となるため、外装ケース１７もグランド板として機能する。
さらに、裏蓋２０および外装ケース１７が金属製なので、グランド板として機能する他に、利用者の腕に装着した場合のＧＰＳアンテナ２３への影響を回避できる。つまり、ケースがプラスチックケースだと、近傍にある腕の影響を受けて装着時と非装着時でＧＰＳアンテナ２３の共振周波数が変動し、性能差が出て好ましくない。しかし、ケースが金属製なので、そのシールド効果により腕の影響を回避でき、本実施形態では装着時と非装着時とのアンテナ特性に差が殆どなく、安定した受信性能が得られる。ただし、プラスチックケースを採用することもできる。
【００４７】
［二次電池］
二次電池２４は、電子時計１の電源装置であり、ソーラーパネル２２で発生した電力を蓄積する。
電子時計１では、ソーラーパネル２２の二つの電極と二次電池２４の二つの電極とを、二本の導通コイルばね２２Ａによってそれぞれ電気的に接続することが可能であり、接続時には、ソーラーパネル２２の光発電によって二次電池２４が充電される。なお、本実施形態では、二次電池２４として、携帯機器に好適なリチウムイオン二次電池を用いているが、リチウムポリマー電池や他の二次電池を用いてもよいし、二次電池とは異なる蓄電体（例えば容量素子）を用いてもよい。
【００４８】
［電子時計の回路構成］
図３は、電子時計１の構成を示すブロック図である。電子時計１は、受信装置３０（受信部）、制御装置４０（制御部）、計時装置５０（計時部）、記憶装置６０（記憶部）、入力装置７０（操作部）を備えている。
【００４９】
［受信装置］
受信装置３０は、二次電池２４に蓄積された電力で駆動される負荷であり、制御装置４０によって駆動されると、ＧＰＳアンテナ２３を通じてＧＰＳ衛星１００から送信される衛星信号を受信する。そして、受信装置３０は、衛星信号の受信に成功した場合には、取得した軌道情報やＧＰＳ時刻情報などの情報を制御装置４０へ送信する。一方、衛星信号の受信に失敗した場合には、受信装置３０は、その旨の情報を制御装置４０へ送信する。なお、受信装置３０の構成は、公知のＧＰＳ受信回路の構成と同様であるため、その説明を省略する。
【００５０】
［航法メッセージ］
図４（Ａ）〜図４（Ｃ）は、受信装置３０で受信される衛星信号に含まれる航法メッセージの構成について説明するための図である。
図４（Ａ）に示すように、航法メッセージは、全ビット数１５００ビットのメインフレームを１単位とするデータとして構成される。メインフレームは、それぞれ３００ビットの５つのサブフレーム１〜５に分割されている。１つのサブフレームのデータは、各ＧＰＳ衛星１００から６秒で送信される。従って、１つのメインフレームのデータは、各ＧＰＳ衛星１００から３０秒で送信される。
【００５１】
サブフレーム１には、図５にも示すように、週番号データ（WN）や衛星健康状態（ＳＶｈｅａｌｔｈ）を含む衛星補正データが含まれている。週番号データは、現在のＧＰＳ時刻情報が含まれる週を表す情報である。ＧＰＳ時刻情報の起点は、ＵＴＣ（協定世界時）における１９８０年１月６日００：００：００であり、この日に始まる週は週番号０となっている。週番号データは、１週間単位で更新される。
【００５２】
衛星健康状態（ＳＶｈｅａｌｔｈ）は、その衛星に異常があるか否かを示すコードであり、このコードを確認することで、異常がある衛星の信号を利用することがないように制御できる。具体的には、健康衛星状態（SVhealth）が「０」の場合、航法メッセージは正常であることを示し、健康衛星状態（SVhealth）が「１」の場合、一部または全ての航法メッセージが異常であることを示す。
【００５３】
そして、５組のサブフレームのうち、サブフレーム１〜３は各衛星に固有の情報を含んでいるため、毎回同じ内容が繰り返し送信される。具体的には、送信している衛星自身のクロック補正情報や軌道情報（エフェメリス）が含まれている。これに対し、サブフレーム４および５は、全衛星の軌道情報（アルマナック）や電離層補正情報が含まれ、これらはデータ数が多いためにページ単位に分割されてサブフレームに収容される。
すなわち、サブフレーム４および５により送信されるデータは、それぞれページ１〜２５に分割されており、フレームごとに異なるページの内容が順番に送られている。すべてのページの内容を送信するには２５フレームを必要とするため、航法メッセージの全情報を受信するには１２分３０秒の時間を要する。
【００５４】
さらに、サブフレーム１〜５には、先頭から、３０ビットのＴＬＭ（Telemetry word）データが格納されたＴＬＭ（Telemetry）ワードと３０ビットのＨＯＷ（hand over word）データが格納されたＨＯＷワードが含まれている。
【００５５】
従って、ＴＬＭワードやＨＯＷワードは、ＧＰＳ衛星１０から６秒間隔で送信されるのに対し、週番号データ等の衛星補正データ、エフェメリスパラメータ、アルマナックパラメータは３０秒間隔で送信される。
【００５６】
図４（Ｂ）に示すように、ＴＬＭワードには、プリアンブルデータ、ＴＬＭメッセージ、Reservedビット、パリティデータが含まれている。
【００５７】
図４（Ｃ）に示すように、ＨＯＷワードには、ＴＯＷ（Time of Week、「Ｚカウント」ともいう）というＧＰＳ時刻情報が含まれている。Ｚカウントデータは毎週日曜日の０時からの経過時間が秒で表示され、翌週の日曜日の０時に０に戻るようになっている。つまり、Ｚカウントデータは、週の初めから一週間毎に示される秒単位の情報である。このＺカウントデータは、次のサブフレームデータの先頭ビットが送信されるＧＰＳ時刻情報を示す。例えば、サブフレーム１のＺカウントデータは、サブフレーム２の先頭ビットが送信されるＧＰＳ時刻情報を示す。また、ＨＯＷワードには、サブフレームのＩＤを示す３ビットのデータ（ＩＤコード）も含まれている。
【００５８】
また、うるう秒情報は、サブフレーム４のページ１８に格納されている。すなわち、衛星信号のサブフレーム４、ページ１８には、うるう秒に関するデータである、「現在のうるう秒ΔtLS」、「うるう秒の更新週WNLSF」、「うるう秒の更新日DN」、「更新後のうるう秒ΔtLSF」の各データが格納されている。このうち、「現在のうるう秒ΔtLS」が本発明の「うるう秒情報」である。
なお、「うるう秒の更新週、うるう秒の更新日、更新後のうるう秒」は、次回のうるう秒更新処理に必要な情報である。これらの情報は、うるう秒更新の実施が決定した場合は、その更新日の約６ヶ月前から新しいデータに更新される。そして、うるう秒の更新が実査された後もそのままデータが残る。このため、次のうるう秒更新の実施が決定するまでは、「現在のうるう秒ΔtLS」と「更新後のうるう秒ΔtLSF」は同じ値となる。従って、ΔtLSとΔtLSFとが同じ値であれば更新の予定が無く、異なる値であれば更新の予定があることを判断できる。
【００５９】
さらに、時刻情報（Ｚカウント）は、すべてのサブフレームに格納されているため、６秒間隔で受信できる。
従って、システムリセット後などカレンダーが設定されていない状態では、３０秒毎に送信されるサブフレーム１を受信し、週番号および衛星健康状態を取得して年月日の情報を把握する必要がある。また、週番号とＺカウントから算出されるＧＰＳ時刻からＵＴＣを算出するために、１２．５分毎に送信されるサブフレーム４、ページ１８を受信し、「現在のうるう秒」の情報を把握する必要がある。
【００６０】
一方、週番号や現在のうるう秒の取得後は、週番号を取得した時期からの経過時間をカウントできるので、再度、週番号を取得しなくても、取得している週番号と経過時間から、ＧＰＳ衛星の現在の週番号が分かる。従って、Ｚカウントのみを取得すれば、現在のＧＰＳ時刻を取得でき、現在のうるう秒情報で修正することで、ＵＴＣを求めることができる。
【００６１】
［計時装置］
計時装置５０は、二次電池２４に蓄積された電力で駆動される水晶振動子等を備え、水晶振動子の発振信号に基づく基準信号を用いて時刻データを更新する。
【００６２】
［記憶装置］
記憶装置６０は、図６に示すように、時刻データ記憶部６００と、受信モード記憶部６６０と、タイムゾーンデータ記憶部６８０と、定時受信時刻記憶部６９０とを備えている。
【００６３】
時刻データ記憶部６００には、受信時刻データ６１０と、うるう秒更新データ６２０と、内部時刻データ６３０と、時計表示用時刻データ６４０と、タイムゾーンデータ６５０とが記憶される。
【００６４】
受信時刻データ６１０には、衛星信号から取得した時刻情報（ＧＰＳ時刻情報）が記憶される。この受信時刻データ６１０は、通常は計時装置５０によって１秒毎に更新され、衛星信号を受信した際には、取得した時刻情報（ＧＰＳ時刻情報）によって修正される。
【００６５】
うるう秒更新データ６２０には、少なくとも現在のうるう秒のデータが記憶される。また、「うるう秒の更新週、うるう秒の更新日、更新後のうるう秒」の各データを取得した場合は、これらのデータもうるう秒更新データ６２０に記憶される。
そして、「現在のうるう秒ΔtLS」が本発明の「うるう秒情報」であるため、うるう秒更新データ６２０を記憶する時刻データ記憶部６００は、本発明の現在うるう秒記憶部を兼ねている。
【００６６】
内部時刻データ６３０には、内部時刻情報が記憶される。この内部時刻情報は、受信時刻データ６１０に記憶されたＧＰＳ時刻情報と、うるう秒更新データ６２０に記憶している「現在のうるう秒（うるう秒情報）」とによって更新される。すなわち、内部時刻データ６３０には、ＵＴＣ（協定世界時）が記憶されることになる。受信時刻データ６１０が前記計時装置５０で更新される際に、この内部時刻情報も更新される。
【００６７】
時計表示用時刻データ６４０には、前記内部時刻データ６３０の内部時刻情報に、タイムゾーンデータ６５０のタイムゾーンデータ（タイムゾーン情報、時差情報）を加味した時刻データが記憶される。タイムゾーンデータ６５０は、測位モードで受信した場合に得られる位置情報等で設定される。
【００６８】
受信モード記憶部６６０は、前述の通り、ボタン１６の操作で設定された受信モードを記憶している。
【００６９】
タイムゾーンデータ記憶部６８０は、位置情報（緯度、経度）とタイムゾーン情報（時差情報）とを関連付けて記憶している。このため、測位モードで位置情報を取得した場合、制御装置４０は、その位置情報（緯度、経度）に基づいてタイムゾーンデータを取得できるようにされている。
【００７０】
なお、タイムゾーンデータ記憶部６８０には、さらに、都市名とタイムゾーンデータとを関連付けて記憶してもよい。この場合、入力装置７０の操作によって、利用者が現地時刻を知りたい都市名を選択すると、制御装置４０は、タイムゾーンデータ記憶部６８０に対して利用者が設定した都市名を検索し、その都市名に対応するタイムゾーンデータを取得してタイムゾーンデータ６５０に設定すればよい。
【００７１】
定時受信時刻記憶部６９０には、測時部４１０における定時受信処理を実行する定時受信時刻が記憶される。この定時受信時刻は、前回、ボタン１５を操作して強制受信に成功した時刻が記憶される。
【００７２】
［制御装置］
制御装置４０は、電子時計１を制御するＣＰＵで構成されている。制御装置４０は、測時部４１０と、測位部４２０と、タイムゾーン設定部４３０と、タイムゾーン修正部４４０と、時刻修正部４５０と、うるう秒取得部４６０と、判定条件設定部４７０と、うるう秒修正部４８０とを備える。
【００７３】
［測時部］
測時部４１０は、受信装置３０を作動して測時モードでの受信処理を行う。本実施形態では、自動受信処理と手動受信処理とで測時モードでの受信処理を実行する。
自動受信処理は、定時自動受信処理と、光自動受信処理の２種類がある。すなわち、測時部４１０は、計時している時計表示用時刻データ６４０が、定時受信時刻記憶部６９０に記憶された定時受信時刻になった場合に、受信装置３０を作動して測時モードでの定時自動受信処理を行う。
また、測時部４１０は、ソーラーパネル２２の発電電圧または発電電流が設定値以上となり、屋外においてソーラーパネル２２に日光が照射していると判断できる場合に、受信装置３０を作動して測時モードでの光自動受信処理を行う。なお、ソーラーパネル２２の発電状態で受信装置３０を作動する処理の回数は、１日に一回などに制約してもよい。
さらに、測時モードに設定されている状態で、利用者が入力装置７０のボタン１５を押して強制受信操作を行った場合、測時部４１０は、受信装置３０を作動して測時モードでの手動受信処理を行う。
測時部４１０は、受信装置３０で少なくとも１つのＧＰＳ衛星１００を捕捉し、そのＧＰＳ衛星１００から送信される衛星信号を受信して時刻情報を取得する。
【００７４】
［測位部］
測位部４２０は、測位モードに設定されている状態で、利用者が入力装置７０のボタン１５を押して強制受信操作を行った場合に、受信装置３０を作動して測位モードでの受信処理を行う。
なお、制御装置４０は、受信モード記憶部６６０に記憶されている受信モードに関係なく、ボタン１５を押している時間に応じて、測時部４１０による測時モードでの受信処理と、測位部４２０による測位モードでの受信処理を切り替えて実行してもよい。例えば、制御装置４０は、ボタン１５を第１設定時間（３秒以上、６秒未満）押した場合には測時モードでの受信処理を行い、第２設定時間（６秒以上）押した場合には測位モードでの受信処理を行ってもよい。
【００７５】
測位部４２０は、測位モードでの受信処理を開始すると、受信装置３０で少なくとも３個、好ましくは４個以上のＧＰＳ衛星１００を捕捉し、各ＧＰＳ衛星１００から送信される衛星信号を受信して位置情報を算出して取得する。また、測位部４２０は、衛星信号を受信した際に時刻情報も同時に取得できる。
【００７６】
［タイムゾーン設定部］
タイムゾーン設定部４３０は、測位部４２０で位置情報の取得に成功した場合、取得した位置情報（緯度、経度）に基づいてタイムゾーンデータを設定する。具体的には、タイムゾーンデータ記憶部６８０から位置情報に対応するタイムゾーンデータ（タイムゾーン情報つまり時差情報）を選択して取得し、タイムゾーンデータ６５０に記憶する。
例えば、日本標準時（ＪＳＴ）は、ＵＴＣに対して９時間進めた時刻（ＵＴＣ＋９）であるため、測位部４２０で取得した位置情報が日本である場合には、タイムゾーン設定部４３０は、タイムゾーンデータ記憶部６８０から日本標準時の時差情報（＋９時間）を読み出してタイムゾーンデータ６５０に記憶する。
【００７７】
［タイムゾーン修正部］
タイムゾーン修正部４４０は、タイムゾーン設定部４３０がタイムゾーン情報を設定すると、前記時計表示用時刻データ６４０を、前記タイムゾーンデータを用いて修正する。このため、時計表示用時刻データ６４０は、ＵＴＣである内部時刻データ６３０にタイムゾーンデータを加算した時刻となる。
【００７８】
［時刻修正部］
時刻修正部４５０は、測時部４１０や測位部４２０の受信処理で時刻情報の取得に成功した場合、取得した時刻情報で受信時刻データ６１０を修正する。このため、内部時刻データ６３０および時計表示用時刻データ６４０も修正される。時計表示用時刻データ６４０が修正されると、針位置検出手段で時計表示用時刻データ６４０と同期している指針１２の指示時刻も修正される。
【００７９】
［うるう秒取得部］
うるう秒取得部４６０は、受信装置３０を作動してうるう秒受信モードでの受信処理を行う。うるう秒取得部４６０は、ボタン１６でうるう秒受信モードに設定された状態で、ボタン１５の強制受信操作が行われた場合にうるう秒情報を受信する。また、予め設定されるうるう秒受信時期に測時部４１０や測位部４２０による受信処理が行われた場合に、うるう秒情報を受信する。
本実施形態では、うるう秒受信時期は、半年毎に設定される。すなわち、現在、うるう秒の更新は、最短でも半年毎であり、近年は１年〜数年に一回程度である。また、具体的なうるう秒更新タイミングの第１優先日は、１２月、６月の末日である。さらに、うるう秒情報には、次回のうるう秒更新日や更新後のうるう秒の情報も含まれている。
このため、半年毎（具体的には６月、１２月）にうるう秒情報を受信すれば、次の半年にうるう秒の更新予定があるか否かも判断できる。
従って、うるう秒取得部４６０は、内部時刻による現在の月日が６月１日〜３０日、１２月１日〜３１日であり、かつ、その期間でのうるう秒受信に成功していない場合に、うるう秒受信時期と判断して、測時部４１０や測位部４２０での受信処理時にうるう秒情報の取得処理を行う。このため、上記受信時期にうるう秒受信に成功した場合、手動設定でうるう秒受信モードに設定されない限りは、半年間はうるう秒受信を行うことがない。
なお、うるう秒受信時期は、うるう秒更新日以前の半年間であればよいため、６月と１２月に限らず、７月と１月や、８月と２月など、半年毎に設定すればよい。
【００８０】
そして、うるう秒取得部４６０は、受信装置３０で少なくとも１つのＧＰＳ衛星１００を捕捉し、そのＧＰＳ衛星１００から送信される衛星信号を受信してうるう秒情報を取得する。なお、うるう秒情報は、前述の通り、サブフレーム４のページ１８に格納され、１２．５分間隔で送信される。
このため、うるう秒取得部４６０は、受信装置３０を作動して衛星信号を受信した際に、その衛星信号のサブフレームやページを確認し、次にうるう秒情報が送信されるタイミングを把握する。うるう秒情報が送信されるまでの時間が短ければ（例えば、６０秒未満）、うるう秒取得部４６０は、受信を継続してうるう秒情報を取得する。うるう秒情報が送信されるまでの時間が長ければ（例えば６０秒以上）、うるう秒取得部４６０は、一旦受信処理を中断し、うるう秒情報の送信タイミングに合わせて受信を再開する。
なお、航法メッセージは、１週間単位で管理されており、うるう秒情報の送信タイミングも決まっている。このため、うるう秒取得部４６０は、計時装置５０で計時される内部時刻データに基づいて、うるう秒の送信タイミングに受信を行うようにしてもよい。
【００８１】
［判定条件設定部］
判定条件設定部４７０は、うるう秒取得部４６０が取得したうるう秒情報（現在のうるう秒）が正しいかを判定する条件を設定する。具体的な判定条件の設定方法は後述する。
【００８２】
［うるう秒修正部］
うるう秒修正部４８０は、うるう秒取得部４６０で取得し、判定条件設定部４７０で正しいと判定したうるう秒情報を用いて、うるう秒更新データ６２０に記憶されるうるう秒情報（現在のうるう秒）を修正する。
【００８３】
［制御装置の動作］
図７は、第１実施形態における電子時計１の受信処理を示すフローチャートである。
制御装置４０は、受信処理を開始すると、自動受信を開始する条件に該当したかを判定する（ＳＡ１）。前述のとおり、制御装置４０は、定時受信時刻になった場合と、ソーラーパネル２２での発電電圧や電流が設定値以上になった場合に、自動受信を開始する条件に該当したと判定する（ＳＡ１：Ｙｅｓ）。
ＳＡ１でＮｏと判定された場合、制御装置４０は、ボタン１５が第１設定時間（たとえば３秒以上）押される受信操作があったか否かを判定する（ＳＡ２）。
ＳＡ２でＮｏと判定された場合、制御装置４０はＳＡ１に戻る。従って、自動受信が開始されるか（ＳＡ１でＹｅｓ）、受信操作がある（ＳＡ２でＹｅｓ）までは、制御装置４０は受信処理を実行しない。
【００８４】
制御装置４０は、自動受信開始条件に該当した場合（ＳＡ１でＹｅｓ）、または、受信操作がある場合（ＳＡ２でＹｅｓ）、うるう秒受信モードに設定されているか否かを判定する（ＳＡ３）。すなわち、制御装置４０は、タイムゾーンデータ記憶部６８０に記憶された受信モードがうるう秒受信モードに設定された状態で、自動受信開始条件に該当した場合や、受信操作が行われた場合に、ＳＡ３でＹｅｓと判定する。
【００８５】
一方、ＳＡ３でＮｏと判定された場合、制御装置４０は、うるう秒受信時期であるかを判定する（ＳＡ４）。前述のとおり、制御装置４０は、内部時刻による現在の月日が６月１日〜３０日、１２月１日〜３１日であり、かつ、その期間でのうるう秒受信に成功していない場合に、ＳＡ４でＹｅｓと判定する。
【００８６】
制御装置４０は、ＳＡ３でＹｅｓと判定した場合と、ＳＡ４でＹｅｓと判定した場合に、うるう秒取得部４６０を作動して、うるう秒情報を取得するための第１受信処理を実行する（ＳＡ１０）。
一方、制御装置４０は、ＳＡ３およびＳＡ４でＮｏと判定した場合に、通常の測時モードや測位モードでの受信を行う第２受信処理を実行する（ＳＡ３０）。
【００８７】
［第１受信処理］
次に、第１受信モードの処理を、図８に基づいて説明する。
うるう秒取得部４６０は、まず受信モードを設定する（ＳＡ１１）。すなわち、うるう秒取得部４６０は、図７のＳＡ３でＹｅｓと判定された場合、受信モードをうるう秒受信モードに設定する。一方、うるう秒取得部４６０は、図７のＳＡ４でＹｅｓと判定された場合、予め設定された受信モード（測時モードまたは測位モード）に設定する。
【００８８】
次に、制御装置４０は、設定された受信モードに応じて、測時部４１０、測位部４２０、うるう秒取得部４６０を作動し、受信処理を開始する（ＳＡ１２）。
すなわち、測時モードの場合は、測時部４１０は、受信装置３０を作動してＧＰＳ衛星１００を捕捉するためにサーチを行い、少なくとも１つのＧＰＳ衛星１００を捕捉する。そして、測時部４１０は、ＧＰＳ衛星１００を捕捉すると、受信装置３０で衛星信号を受信し、時刻情報を取得する。
測位モードの場合、測位部４２０は、受信装置３０を作動してＧＰＳ衛星１００を捕捉するためにサーチを行い、少なくとも３つのＧＰＳ衛星１００を捕捉する。そして、測位部４２０は、ＧＰＳ衛星１００を捕捉すると、受信装置３０で衛星信号を受信し、位置情報を取得する。なお、位置情報の取得時には、同時に時刻情報も取得できるため、測位部４２０は位置情報だけでなく時刻情報も取得する。ただし、位置情報のみを取得するように制御してもよい。
うるう秒受信モードの場合、うるう秒取得部４６０は、測時部４１０と同じく、受信装置３０を作動してＧＰＳ衛星１００を捕捉するためにサーチを行い、少なくとも１つのＧＰＳ衛星１００を捕捉する。そして、うるう秒取得部４６０は、ＧＰＳ衛星１００を捕捉すると、受信装置３０で衛星信号を受信し、時刻情報を取得する。
【００８９】
次に、制御装置４０は、受信に成功したかを判定する（ＳＡ１３）。すなわち、時刻情報を取得した場合には、内部時刻と比較することなどで取得した時刻情報が正しいと判定した場合に受信成功と判定する。位置情報を取得した場合は、複数のＧＰＳ衛星１００から取得した時刻情報同士を比較することなどで、取得した時刻情報や位置情報が正しいと判定した場合に受信成功と判定する。
制御装置４０は、ＳＡ１３でＮｏと判定した場合は、受信処理を終了する。
【００９０】
ＳＡ１３でＹｅｓと判定した場合、制御装置４０は、うるう秒情報の受信タイミングになるまで待機する（ＳＡ１４）。
前述したように、うるう秒情報は１２．５分間隔で送信される。このため、ＳＡ１２で受信開始した後に継続してうるう秒情報を受信する場合、最大で１２．５分間、受信処理を継続する必要がある。この場合、受信時間が長くなって消費電力も増大する。
このため、制御装置４０は、ＳＡ１３で受信に成功した場合、受信した衛星信号のサブフレームおよびページを把握できるため、うるう秒情報が送信されるタイミング（うるう秒情報受信開始時間）も把握できる。このため、制御装置４０は、うるう秒情報の受信開始時間になったかを判定し（ＳＡ１５）、Ｎｏと判定した場合は、うるう秒情報受信待機を継続する（ＳＡ１４）。
【００９１】
制御装置４０は、ＳＡ１５でＹｅｓと判定した場合、うるう秒取得部４６０を作動してうるう秒情報の受信処理を開始する（ＳＡ１６）。うるう秒取得部４６０は、受信装置３０を作動してＧＰＳ衛星１００を捕捉するためにサーチを行い、少なくとも２つのＧＰＳ衛星１００を捕捉する。そして、うるう秒取得部４６０は、ＧＰＳ衛星１００を捕捉すると、受信装置３０で衛星信号を受信し、２つのＧＰＳ衛星１００からうるう秒情報を取得する。
なお、前記うるう秒情報受信開始時間は、ＧＰＳ衛星１００を捕捉するサーチ時間も考慮して設定されている。
【００９２】
次に、制御装置４０は、一回の受信処理で２個以上のＧＰＳ衛星１００からうるう秒情報を受信できたかを判定する（ＳＡ１７）。一回の受信処理とは、うるう秒情報の受信開始（ＳＡ１６）から受信処理終了あるいは受信タイムアウトになるまでの間の受信処理を意味する。
ＳＡ１７でＮｏと判定された場合、制御装置４０は、受信タイムアウトになったかを判定する（ＳＡ１８）。本実施形態では、うるう秒情報受信開始（ＳＡ１６）から６０秒以上経過すると、受信タイムアウトになったと判定している。
うるう秒情報受信開始から６０秒未満であるため、ＳＡ１８でＮｏと判定すると、制御装置４０は、ＳＡ１７に戻ってうるう秒情報の受信を継続する。
一方、ＳＡ１８でＹｅｓと判定し、受信タイムアウトになったと判定すると、制御装置４０は、ＳＡ１３で時刻情報などの受信に成功していても、内部時刻を修正することなく、受信処理を終了する。
【００９３】
制御装置４０は、ＳＡ１７で２個以上のＧＰＳ衛星１００からうるう秒情報を受信できたと判定すると、２個以上のＧＰＳ衛星１００から取得したうるう秒情報（現在のうるう秒）が一致しているかを判定する（ＳＡ１９）。うるう秒情報は、現在のうるう秒であるため、複数のＧＰＳ衛星１００から取得したうるう秒情報も同じ値である。従って、これらのうるう秒情報が一致しない場合は、信号強度が弱く、正しいうるう秒情報を取得できなかったと判断できる。一方、取得したうるう秒情報が一致していれば、正しいうるう秒情報を取得できたと判断できる。
このため、制御装置４０は、ＳＡ１９でＮｏと判定した場合は、内部時刻を修正することなく、受信処理を終了する。
一方、制御装置４０は、ＳＡ１９でＹｅｓと判定した場合は、正しいうるう秒情報を取得できた判断できる。この場合、うるう秒修正部４８０は、取得した第１または第２のうるう秒情報（現在のうるう秒）を記憶装置６０のうるう秒更新データ６２０に記憶する。
そして、時刻修正部４５０は、うるう秒更新データ６２０の現在のうるう秒を用いて内部時刻データ６３０を修正する（ＳＡ２０）。内部時刻データ６３０が修正されると、設定されているタイムゾーンデータ６５０で時計表示用時刻データ６４０も修正される。その後、受信処理を終了する。
【００９４】
［第２受信処理］
次に、第２受信モードの受信処理を、図９に基づいて説明する。
制御装置４０は、図７のＳＡ４でＮｏと判定された場合、第２受信モードの受信処理を実行する。制御装置４０は、予め設定された受信モード（測時モードまたは測位モード）に設定する（ＳＡ２１）。
測時モードに設定された場合は、測時部４１０が受信処理を開始し、測位モードに設定された場合は、測位部４２０が受信処理を開始する（ＳＡ２２）。
すなわち、測時モードの場合、測時部４１０は、受信装置３０を作動してＧＰＳ衛星１００を捕捉するためにサーチを行い、少なくとも１つのＧＰＳ衛星１００を捕捉する。そして、測時部４１０は、ＧＰＳ衛星１００を捕捉すると、受信装置３０で衛星信号を受信し、時刻情報を取得する。
測位モードの場合、測位部４２０は、受信装置３０を作動してＧＰＳ衛星１００を捕捉するためにサーチを行い、少なくとも３つのＧＰＳ衛星１００を捕捉する。そして、測位部４２０は、ＧＰＳ衛星１００を捕捉すると、受信装置３０で衛星信号を受信し、位置情報を取得する。なお、位置情報の取得時には、同時に時刻情報も取得できるため、測位部４２０は位置情報だけでなく時刻情報も取得する。ただし、位置情報のみを取得するように制御してもよい。
【００９５】
次に、制御装置４０は、受信に成功したかを判定する（ＳＡ２３）。判定方法は、第１受信モードと同じである。そして、制御装置４０は、ＳＡ２３でＮｏと判定した場合は、受信処理を終了する。
【００９６】
ＳＡ２３でＹｅｓと判定した場合、制御装置４０は、測位部４２０によって位置情報を取得していれば、ＳＡ２４でＹｅｓと判定し、取得した位置情報に対応するタイムゾーンデータをタイムゾーンデータ記憶部６８０から取得し、タイムゾーンデータ６５０を設定する（ＳＡ２５）。
そして、ＳＡ２５でタイムゾーン設定後、あるいはＳＡ２４でＮｏと判定された場合、時刻修正部４５０によって、取得した時刻情報によって受信時刻データ６１０を修正し、さらにうるう秒更新データ６２０で補正して内部時刻データ６３０を修正する（ＳＡ２６）。内部時刻データ６３０が修正されると、設定されているタイムゾーンデータ６５０で時計表示用時刻データ６４０も修正される。
【００９７】
〔第１実施形態の作用効果〕
このような本実施形態によれば、以下のような作用効果が得られる。
電子時計１は、一回の受信処理で２つ以上のＧＰＳ衛星１００から受信し、取得したうるう秒情報が一致する場合に、うるう秒情報を更新して内部時刻を修正している。このため、パリティチェックでうるう秒情報の正確性を判定する場合に比べて、受信したうるう秒情報の正確性を精度良く判定できる。
従って、誤ったうるう秒情報で内部時刻を修正することを防止でき、時刻表示の精度を向上できる。
【００９８】
うるう秒取得部４６０は、２つのＧＰＳ衛星１００を同時に捕捉して、うるう秒情報を同時に取得しており、うるう秒情報の受信処理は一回で終了するため、複数のうるう秒情報を異なる時間、つまり複数回の受信処理で取得する場合に比べて、受信時間を短縮できて消費電力も低減できる。
【００９９】
うるう秒取得部４６０は、うるう秒情報が送信されるタイミングまで受信を待機しているので、うるう秒情報の受信時間を最小限にでき、消費電力を低減できる。
さらに、受信タイムアウトを判定しているので、うるう秒情報を受信できない状態で受信処理を６０秒以上継続することを防止でき、この点でも消費電力を低減できる。
【０１００】
［第２実施形態］
次に、本発明の第２実施形態を図１０〜１２に基づいて説明する。第２実施形態の電子時計１Ｂは、図１０に示すように、制御装置４０Ｂに、うるう秒情報候補更新部４９０が追加されている点が第１実施形態と相違する。また、図１１に示すように、電子時計１Ｂの記憶装置６０Ｂは、うるう秒情報候補記憶部６７０が追加されている点で第１実施形態と相違する。その他の構成は、第１実施形態と同じである。
このため、第２実施形態は、図１２に示すように、第１実施形態とはうるう秒を受信する第１受信モードの受信処理が相違する。なお、第２受信モードの受信処理は第１実施形態と同じであるため、その説明は省略する。
【０１０１】
第１実施形態では、うるう秒の信頼性を判定するために、２つのＧＰＳ衛星１００から一回の受信処理で受信した２つのうるう秒情報が一致するかを判定していた。これに対し、第２実施形態では、異なる時刻に（少なくとも２回の受信処理で）ＧＰＳ衛星１００からうるう秒情報を受信しており、かつ、各時刻の受信では１個のＧＰＳ衛星１００のみからうるう秒情報を受信した場合でも適用できる判定方法を採用している。
【０１０２】
このため、図１２に示すように、第１受信処理における処理ＳＢ１１〜ＳＢ１６、ＳＢ１８は、第１実施形態の図８に示すＳＡ１１〜ＳＡ１６、ＳＡ１８と同じ処理であるため、説明を省略する。
制御装置４０は、うるう秒情報の受信開始後（ＳＢ１６）、うるう秒情報を受信できたかを判定する（ＳＢ１７）。この際、制御装置４０は、１個のうるう秒情報のみを受信した場合でもＳＢ１７でＹｅｓと判定する。
【０１０３】
図１２のＳＢ１７でＹｅｓと判定すると、制御装置４０は、Health衛星１個からうるう秒情報を受信したかを判定する（ＳＢ１９）。
Health衛星とは、健康衛星状態（SVhealth）が「０（航法メッセージは正常）」の衛星である。従って、制御装置４０は、サブフレーム１の健康衛星状態（SVhealth）が「０」のＧＰＳ衛星１００からうるう秒情報を受信したかを判定する。
【０１０４】
制御装置４０は、ＳＢ１９で「Ｎｏ」と判定した場合は、内部時刻を修正せずに、今回の受信処理を終了する。
一方、制御装置４０は、ＳＢ１９で「Ｙｅｓ」と判定した場合は、うるう秒情報候補がうるう秒情報候補記憶部６７０に保持されているかを判定する（ＳＢ２０）。
うるう秒情報候補が保持されていない場合（ＳＢ２０でＮｏ）、受信したうるう秒情報が第１のうるう秒情報となる。そして、制御装置４０のうるう秒情報候補更新部４９０は、第１のうるう秒情報を記憶装置６０のうるう秒情報候補記憶部６７０に保存する（ＳＢ２１）。そして、内部時刻を修正せずに、今回の受信処理を終了する。
【０１０５】
一方、うるう秒情報候補がうるう秒情報候補記憶部６７０に保持されていた場合（ＳＢ２０でＹｅｓ）、制御装置４０は、保持されていたうるう秒情報候補（第１のうるう秒情報）と、今回受信したうるう秒情報（第２のうるう秒情報）とが一致するか否かを判定する（ＳＢ２２）。
ＳＢ２２でＮｏと判定した場合、うるう秒情報候補更新部４９０は、今回受信したうるう秒情報（第２のうるう秒情報）をうるう秒情報候補記憶部６７０に保存し、うるう秒情報候補を更新する（ＳＢ２１）。
【０１０６】
ＳＢ２２でＹｅｓと判定した場合、正しいうるう秒情報を取得できたと判断できるので、うるう秒修正部４８０は、第２のうるう秒情報またはうるう秒情報候補（第１のうるう秒情報）をうるう秒更新データ６２０に記憶する。そして、時刻修正部４５０は、うるう秒更新データ６２０の現在のうるう秒を用いて内部時刻データ６３０を修正する（ＳＢ２３）。内部時刻データ６３０が修正されると、設定されているタイムゾーンデータ６５０で時計表示用時刻データ６４０も修正される。その後、受信処理を終了する。
【０１０７】
〔第２実施形態の作用効果〕
このような第２実施形態によれば、前記第１実施形態と同じ構成や処理によって同じ作用効果が得られる上、以下の作用効果が得られる。
すなわち、第２実施形態の電子時計１Ｂでは、受信環境が悪い所で１つのＧＰＳ衛星１００からしか衛星信号を受信できない環境でも、正確なうるう秒情報を受信できたかを精度良く判定できる。すなわち、受信時（第２の受信処理時）に１つのＧＰＳ衛星１００からしか受信できなかった場合に、以前に受信した際（第１の受信処理時）に保存していたうるう秒情報候補と、今回受信したうるう秒情報とが一致するかを比較している。
このため、パリティチェックでうるう秒情報の正確性を判定する場合に比べて、受信したうるう秒情報の正確性を精度良く判定できる。
従って、一回の受信で１個のＧＰＳ衛星１００からしか受信できなかった場合でも、誤ったうるう秒情報で時刻を修正することを防止でき、時刻表示の精度を向上できる。
【０１０８】
さらに、うるう秒情報の受信時に健康衛星状態（SVhealth）を確認しているので、正常なうるう秒情報を確実に取得できる。この点でも、一回の受信で１個のＧＰＳ衛星１００からしか受信できなかった場合でも、誤ったうるう秒情報で時刻を修正することを防止でき、時刻表示の精度を向上できる。
また、ＳＢ２２でＮｏと判定した場合に、受信した第２のうるう秒情報で、うるう秒情報候補を更新しているので、うるう秒情報候補が誤ったデータで固定されて不一致状態が継続することを防止できる。
【０１０９】
［第３実施形態］
次に、本発明の第３実施形態を図１３に基づいて説明する。
第３実施形態の電子時計は、第２実施形態と同じ構成を有し、第１受信処理の内容のみが相違する。従って、第３実施形態において、前記第２実施形態と同様の構成、処理については、説明を簡略または省略する。
【０１１０】
図１３に示すように、うるう秒情報を受信する処理ＳＣ１１〜ＳＣ１８は、第２実施形態の図１２に示すＳＢ１１〜ＳＢ１８と同じ処理である。
図１３のＳＣ１７でＹｅｓと判定すると、制御装置４０は、うるう秒情報を受信した衛星数が２個以上であるかを判定する（ＳＣ１９）。
【０１１１】
制御装置４０は、ＳＣ１９でＹｅｓと判定した場合、つまりうるう秒を受信した衛星数が２個以上の場合、前記第１実施形態のＳＡ１９、ＳＡ２０と同じ処理ＳＣ２０、ＳＣ２１を行う。
一方、うるう秒取得部４６０は、ＳＣ１９でＮｏと判定した場合、つまりうるう秒情報を受信した衛星数が１個の場合、前記第２実施形態のＳＢ１９〜ＳＢ２３と同じ処理ＳＣ２２〜ＳＣ２６を行う。
これらの各処理ＳＣ２０〜Ｓ２６は、第１，２実施形態と同一であるため、説明を省略する。
【０１１２】
〔第３実施形態の作用効果〕
このような第３実施形態によれば、前記第１、２実施形態と同じ処理によって同じ作用効果が得られる上、以下の作用効果が得られる。
うるう秒情報を受信した場合に、うるう秒情報を受信した衛星数に応じた適切な判定方法で、取得したうるう秒情報が正しい値であるかを判定できる。従って、受信環境に応じて、１個のＧＰＳ衛星１００からうるう秒情報を取得した場合と、２個以上のＧＰＳ衛星１００からうるう秒情報を取得した場合のそれぞれで、正確なうるう秒情報を受信できたかを精度良く判定できる。このため、パリティチェックでうるう秒情報の正確性を判定する場合に比べて、受信したうるう秒情報の正確性を精度良く判定できる。
従って、誤ったうるう秒情報で時刻を修正することを防止でき、時刻表示の精度を向上できる。
【０１１３】
［第４実施形態］
次に、本発明の第４実施形態を図１４に基づいて説明する。
第４実施形態は、第１実施形態に対して、第１受信処理におけるうるう秒情報の判定条件を追加したものである。すなわち、図１４に示すように、ＳＡ４０の判定条件を追加している。
すなわち、第４実施形態では、制御装置４０は、ＳＡ１７でＹｅｓと判定された場合、受信したうるう秒情報（現在のうるう秒）と更新後のうるう秒情報の差が±１秒以内であるかを判定する（ＳＡ４０）。なお、この判定は、第１および第２の衛星信号毎に行えば良い。
【０１１４】
前述したように、うるう秒情報を含む衛星信号を受信した際に、更新後のうるう秒情報も取得できる。そして、受信により取得したうるう秒情報（現在のうるう秒）と、更新後のうるう秒情報との差は±１秒以内であるはずである。従って、ＳＡ４０でＮｏと判定された場合、うるう秒情報として正しいデータを受信できていない可能性があるため、制御装置４０は内部時刻を修正せずに受信処理を終了する。
一方、ＳＡ４０でＹｅｓと判定された場合、制御装置４０はＳＡ１９の判定処理を行い、ＳＡ１９でＹｅｓと判定された場合に内部時刻修正を行う（ＳＡ２０）。
【０１１５】
なお、ＳＡ４０と、ＳＡ１９の判定は、どちらを先に実行してもよいので、順番を入れ替えても良い。
【０１１６】
このような第４実施形態によれば、前記第１実施形態と同じ作用効果が得られる上、ＳＡ４０の判定条件を追加しているので、うるう秒情報の正確性をより高精度に判定できる。
なお、第４実施形態のＳＡ４０の判定条件は、他の実施形態においても追加できる。すなわち、各実施形態において、第１の衛星信号や第２の衛星信号を受信した際に、ＳＡ４０の判定条件を追加して設定してもよい。
【０１１７】
［第５実施形態］
次に、本発明の第５実施形態を図１５に基づいて説明する。
第５実施形態は、第１実施形態に対して、第１受信処理におけるうるう秒情報の判定条件を追加したものである。すなわち、図１５に示すように、ＳＡ５０，Ｓ５１の判定条件を追加している。
すなわち、第５実施形態では、制御装置４０は、ＳＡ１７でＹｅｓと判定された場合、受信したうるう秒情報（現在のうるう秒）と更新後のうるう秒情報が一致するかを判定する（Ｓ５０）。
制御装置４０は、受信したうるう秒情報（現在のうるう秒）と更新後のうるう秒情報が異なり、Ｓ５０でＮｏと判定すると、うるう秒の挿入予定日が受信日の後であるかを判定する（ＳＡ５１）。なお、Ｓ５０，Ｓ５１の判定は、第１および第２の衛星信号毎に行えば良い。
【０１１８】
前述したように、うるう秒情報を含む衛星信号を受信した際に、うるう秒の更新が予定されていなければ、更新後のうるう秒情報は現在のうるう秒と一致する。一方、うるう秒の更新が予定されていれば、更新後のうるう秒情報は現在のうるう秒と異なる値となり、次の挿入予定日のデータも設定される。この挿入予定日は当然、受信日よりも後の日付である。従って、ＳＡ５１の条件に該当せずにＮｏと判定された場合、うるう秒情報として正しいデータを受信できていない可能性があるため、制御装置４０は内部時刻を修正せずに受信処理を終了する。
一方、ＳＡ５０でＹｅｓと判定された場合と、ＳＡ５１でＹｅｓと判定された場合、制御装置４０はＳＡ１９の判定処理を行い、ＳＡ１９でＹｅｓと判定された場合に内部時刻修正を行う（ＳＡ２０）。
【０１１９】
なお、ＳＡ５０、ＳＡ５１と、ＳＡ１９の判定は、どちらを先に実行してもよいので、順番を入れ替えても良い。
【０１２０】
このような第５実施形態によれば、前記第１実施形態と同じ作用効果が得られる上、ＳＡ５０、ＳＡ５１の判定条件を追加しているので、うるう秒情報の正確性をより高精度に判定できる。
なお、第５実施形態のＳＡ５０、ＳＡ５１の判定条件は、他の実施形態においても追加できる。すなわち、各実施形態において、第１の衛星信号や第２の衛星信号を受信した際に、ＳＡ５０、ＳＡ５１の判定条件を追加して設定してもよい。
【０１２１】
［他の実施形態］
なお、本発明は前記各実施形態の構成に限定されず、本発明の要旨の範囲内で種々の変形実施が可能である。
例えば、前記第１，３実施形態において、２つ以上のＧＰＳ衛星１００からうるう秒情報を取得した場合に、Health衛星つまり衛星健康状態が「０」の２つのＧＰＳ衛星１００から取得したうるう秒情報が、一致するかの判定条件を追加してもよい。このように、２つの衛星信号を同時に（一回の受信処理で）取得した場合にも衛星健康状態を判断すれば、取得したうるう秒情報の信頼性をより高めることができる。
【０１２２】
また、うるう秒情報の判定条件として、受信した衛星信号の信号強度が設定値以上であることを追加してもよい。信号強度が弱い場合には、ノイズの影響などで誤ったうるう秒情報を受信する可能性があるためである。
【０１２３】
前記各実施形態では、うるう秒受信モードを選択可能としていたが、うるう秒受信モードを設けずに測時モードおよび測位モードのみを選択可能としてもよい。この場合、うるう秒受信時期になった場合に自動的にうるう秒情報を取得すればよい。
【０１２４】
また、前記実施形態では、位置情報衛星の例としてＧＰＳ衛星について説明したが、本発明の位置情報衛星としては、ＧＰＳ衛星だけではなく、ガリレオ（ＥＵ）、ＧＬＯＮＡＳＳ（ロシア）、北斗（中国）などの他の全地球的航法衛星システム（ＧＮＳＳ）やＳＢＡＳなどの静止衛星や準天頂衛星などの時刻情報を含む衛星信号を発信する位置情報衛星でも良い。
【０１２５】
本発明の電子時計は、腕時計に限定されず、例えば、置き時計、掛け時計、携帯電話機、登山などに用いられる携帯型のＧＰＳ受信機など、衛星信号を受信して内部時刻を修正する機構を有する電子時計に広く利用できる。
【符号の説明】
【０１２６】
１、１Ｂ…電子時計、１２…指針、１４…リューズ、１５…ボタン、１６…ボタン、２１…ムーブメント、２３…アンテナ、２４…二次電池、２５…回路基板、３０…受信装置、４０、４０Ｂ…制御装置、５０…計時装置、６０、６０Ｂ…記憶装置、７０…入力装置、１００…ＧＰＳ衛星、２１０…駆動機構、４１０…測時部、４２０…測位部、４３０…タイムゾーン設定部、４４０…タイムゾーン修正部、４５０…時刻修正部、４６０…うるう秒取得部、４７０…判定条件設定部、４８０…うるう秒修正部、４９０…うるう秒情報候補更新部、６００…時刻データ記憶部、６１０…受信時刻データ、６２０…うるう秒更新データ、６３０…内部時刻データ、６４０…時計表示用時刻データ、６５０…タイムゾーンデータ、６６０…受信モード記憶部、６７０…うるう秒情報候補記憶部、６８０…タイムゾーンデータ記憶部、６９０…定時受信時刻記憶部。
【図１】
2014196952.tif 000003
【図２】
2014196952.tif 000004
【図３】
2014196952.tif 000005
【図４】
2014196952.tif 000006
【図５】
2014196952.tif 000007
【図６】
2014196952.tif 000008
【図７】
2014196952.tif 000009
【図８】
2014196952.tif 000010
【図９】
2014196952.tif 000011
【図１０】
2014196952.tif 000012
【図１１】
2014196952.tif 000013
【図１２】
2014196952.tif 000014
【図１３】
2014196952.tif 000015
【図１４】
2014196952.tif 000016
【図１５】
2014196952.tif 000017
【図１６】
2014196952.tif 000018